(57)【要約】【課題】画画像形成装置本体の上部を容易に開放する。【解決手段】画像形成装置本体１００上にスキャナ装置（画像読取部）２００を備え、そのスキャナ装置２００で読み取った画像情報を画像形成装置本体１００で記録媒体に記録する画像形成装置において、スキャナ装置２００を画像形成装置本体１００上で、その画像形成装置本体１００上を開閉可能にスライド自在に備える。そして、画像読取部２００をスライドして、画像形成装置本体１００の上部を開放する。【選択図】        図１
2004198476.tif 000002
【特許請求の範囲】
【請求項１】
画像形成装置本体上に画像読取部を備え、その画像読取部で読み取った画像情報を前記画像形成装置本体で記録媒体に記録する画像形成装置において、
前記画像読取部を前記画像形成装置本体上で、その画像形成装置本体上を開閉可能にスライド自在とすることを特徴とする、画像形成装置。
【請求項２】
前記画像形成装置本体内に、画像情報記録済みの記録媒体を排出する胴内排出部を備えることを特徴とする、請求項１に記載の画像形成装置。
【請求項３】
前記胴内排出部における記録媒体の有無を検知する排出検知手段と、その検知結果を警告する警告手段を備えることを特徴とする、請求項２に記載の画像形成装置。
【請求項４】
前記画像読取部が開位置に有ることを検知するスライド検知手段と、前記胴内排出部における記録媒体の有無を検知する排出検知手段と、その排出検知手段で記録媒体がないことを検知し、かつ前記スライド検知手段で前記画像読取部が開位置に有ることを検知したとき、その状態にあることを報知する報知手段とを備えることを特徴とする、請求項２に記載の画像形成装置。
【請求項５】
前記画像読取部が開位置に有ることを検知するスライド検知手段と、前記胴内排出部における記録媒体の有無を検知する排出検知手段と、その排出検知手段で記録媒体がないことを検知し、かつ前記スライド検知手段で前記画像読取部が開位置に有ることを検知したとき、その画像読取部をスライドして閉位置に戻す駆動手段を備えることを特徴とする、請求項２に記載の画像形成装置。
【請求項６】
前記画像形成装置本体まわりの人の存在を検知する人感検知手段を備え、前記排出検知手段で記録媒体がないことを検知し、かつ前記スライド検知手段で前記画像読取部が開位置に有ることを検知するとともに、さらに前記人感検知手段で人の存在を検知しないとき、前記駆動手段を駆動し、前記画像読取部をスライドして閉位置に戻すことを特徴とする、請求項５に記載の画像形成装置。
【請求項７】
前記画像読取部に取っ手を設けることを特徴とする、請求項１に記載の画像形成装置。
【発明の詳細な説明】
【０００１】
【発明の属する技術分野】
この発明は、画像形成装置本体上に画像読取部を備え、その画像読取部で読み取った画像情報を画像形成装置本体で記録媒体に記録する、複写機やファクシミリ、または、複写機、ファクシミリ、プリンタの複合機などの画像形成装置に関する。
【０００２】
【従来の技術】
従来の画像形成装置としての胴内排紙タイプの複写機では、画像形成装置本体の上方に、ユーザーが立ったままで操作しやすい高さに画像読取部を備え、画像形成装置本体の側面に開口を設け、その開口を画像情報記録済みの記録媒体の取出口とする胴内排出部を備える。
【０００３】
そして、記録媒体に画像を複写するときは、画像読取部で複写元の画像情報を読み取って、画像形成装置本体で記録媒体に記録した後、胴内排出部に排出する。
【０００４】
しかし、このような従来の画像形成装置では、ユーザーが立ったままで操作しやすい高さに画像読取部を備え、その下に画像形成装置本体を備えて、胴内排出部を画像形成装置本体の側面に開口して設けるので、胴内排出部に記録媒体が排出されているか否かをユーザーが確認するには、立ったままでは確認できず、腰を屈めて画像形成装置本体の側面の開口から胴内排出部を覗き込んで確認しなければならなず、確認作業の作業性が悪いという問題があった。そこで、次のような画像形成装置が開示されている。
【０００５】
【特許文献１】
特開平１１−４３２５３号公報
【０００６】
この公報に開示されている胴内排紙タイプの画像形成装置は、画像形成装置本体の上に画像読取部を備えるとともに、画像形成装置本体の上面の一部を透明部材で形成する。そして、ユーザーが画像形成装置本体の上方から透明部材越しに胴内排出部を確認し、立ったままの状態で画像形成装置本体の側面に開口した胴内排出部に記録媒体が排出されているかを確認することができるようにしたものである。
【０００７】
【発明が解決しようとする課題】
しかし、実際に記録媒体を取り出すには、腰を屈めて、画像形成装置本体の側面に開口した胴内排出部の取出口から記録媒体を取り出さなければならず、記録媒体の取り出しの作業性が悪いという問題があった。
【０００８】
そこで、この発明の目的は、画画像形成装置本体の上部を容易に開放することにある。
【０００９】
【課題を解決するための手段】
そのため、請求項１に記載の発明は、画像形成装置本体上に画像読取部を備え、その画像読取部で読み取った画像情報を前記画像形成装置本体で記録媒体に記録する画像形成装置において、前記画像読取部を前記画像形成装置本体上で、その画像形成装置本体上を開閉可能にスライド自在とすることを特徴とする。
【００１０】
請求項２に記載の発明は、請求項１に記載の画像形成装置において、前記画像形成装置本体内に、画像情報記録済みの記録媒体を排出する胴内排出部を備えることを特徴とする。
【００１１】
請求項３に記載の発明は、請求項２に記載の画像形成装置において、前記胴内排出部における記録媒体の有無を検知する排出検知手段と、その検知結果を警告する警告手段を備えることを特徴とする。
【００１２】
請求項４に記載の発明は、請求項２に記載の画像形成装置において、前記画像読取部が開位置に有ることを検知するスライド検知手段と、前記胴内排出部における記録媒体の有無を検知する排出検知手段と、その排出検知手段で記録媒体がないことを検知し、かつ前記スライド検知手段で前記画像読取部が開位置に有ることを検知したとき、その状態にあることを報知する報知手段とを備えることを特徴とする。
【００１３】
請求項５に記載の発明は、請求項２に記載の画像形成装置において、前記画像読取部が開位置に有ることを検知するスライド検知手段と、前記胴内排出部における記録媒体の有無を検知する排出検知手段と、その排出検知手段で記録媒体がないことを検知し、かつ前記スライド検知手段で前記画像読取部が開位置に有ることを検知したとき、その画像読取部をスライドして閉位置に戻す駆動手段を備えることを特徴とする。
【００１４】
請求項６に記載の発明は、請求項５に記載の画像形成装置において、前記画像形成装置本体まわりの人の存在を検知する人感検知手段を備え、前記排出検知手段で記録媒体がないことを検知し、かつ前記スライド検知手段で前記画像読取部が開位置に有ることを検知するとともに、さらに前記人感検知手段で人の存在を検知しないとき、前記駆動手段を駆動し、前記画像読取部をスライドして閉位置に戻すことを特徴とする。
【００１５】
請求項７に記載の発明は、請求項１に記載の画像形成装置において、前記画像読取部に取っ手を設けることを特徴とする。
【００１６】
【発明の実施の形態】
以下、図面を参照しつつ、この発明の実施の形態につき説明する。図１には、この発明による画像形成装置の一例としての胴内排紙タイプのレーザ複写機の全体図を示す。
【００１７】
この例のレーザ複写機は、複写機装置本体（画像形成装置本体）１００とその上に取り付けたスキャナ装置（画像読取部）２００、複写機装置本体１００の横に取り付けた記録媒体後処理装置３００などからなる。なお、スキャナ装置２００の上面には、後述する警告を表示する表示部（警告手段）２１０を備える。
【００１８】
図２には、その複写機装置本体１００の概略構成を示す。複写機装置本体１００内には、プロセスカートリッジＰＣを備える。プロセスカートリッジＰＣには、カートリッジケース１０内にドラム状の像担持体１２を設ける。像担持体１２には、プロセスカートリッジＰＣの転写窓ｗを通してローラ状の転写装置１４を接触する。そして、それら像担持体１２と転写装置１４とが接触する位置を転写位置ａとし、その転写位置ａを通って下方から上方へとのびる紙搬送路１６を設ける。
【００１９】
紙搬送路１６には、転写位置ａの手前にレジストローラ１８を備える。その転写位置ａの先には定着装置２０、搬送コロ１７を介して、ピンで回動自在に支持した切換爪１９ａを備える。その切替爪１９ａから紙搬送路１６ａ，１６ｂを分岐して、紙搬送路１６ａには、搬送コロ１７、排紙ローラ２２を備える。
【００２０】
一方、切替爪１９ａの先の紙搬送路１６ｂには搬送コロ１７を設け、その先には、ピンで回動自在に支持した切替爪１９ｂを備える。その切替爪１９ｂから紙搬送路１６ｂ，１６ｃを分岐して、紙搬送路１６ｂには、排紙ローラ２２を備える。
【００２１】
これら紙搬送路１６ａ，１６ｂにあるそれぞれの排紙ローラ２２の先には、画像情報記録済みの転写紙（記録媒体）Ｐを排出する胴内排出部２４を複写機装置本体１００の側面１００ｓと上面１００ｕにそれぞれ側部開口２４ｓと上部開口２４ｕを設けて、複写機装置本体１００内に備え、そこに、画像情報記録済みの転写紙Ｐを平積みにスタックする排出トレイ２５ａ，２５ｂを重ねて設ける。この胴内排出部２４の上部開口２４ｕは、後述するように、排出トレイ２５ａ，２５ｂに平積みにスタックした転写紙Ｐを取出すため、転写紙Ｐの最大サイズより大きく設けられる。
【００２２】
また、切替爪１９ｂの先の中継搬送路１６ｃには、搬送コロ１７、排紙ローラ２２を設けて、複写機装置本体１００の横に設置された記録媒体後処理装置３００に搬送する。
【００２３】
図中符号２６は、複写機装置本体１００内に備えるレーザ書込みユニットである。また、符号２８は、プロセスカートリッジＰＣの後述する現像装置５２にトナーを補給するトナーボトルである。
【００２４】
スキャナ装置２００には、コンタクトガラス３０の下に、光源３２、複数のミラー３４、結像レンズ３６、ＣＣＤ等のイメージセンサ３８などを備える。そして、コンタクトガラス３０に沿って光源３２を移動し、光源３２からの光をコンタクトガラス３０上の原稿面で反射し、その反射光をミラー３４で反射して結像レンズ３６で結像し、イメージセンサ３８で読み取る。
【００２５】
記録媒体後処理装置３００は、複写機装置本体１００で複写された転写紙Ｐを受け入れて、ソートしたり、ステイプル処理やパンチ処理を施したりするものである。
【００２６】
さて、いまこのレーザ複写機を用いてコピーをとるときは、不図示の自動原稿給紙装置に原稿をセットし、または自動原稿給紙装置を開いてスキャナ装置２００のコンタクトガラス３０上に直接原稿をセットする。そして、スタートスイッチを押し、自動原稿給紙装置を駆動してコンタクトガラス３０上に搬送した原稿を、またはあらかじめコンタクトガラス３０上にセットしてある原稿を画像情報として、スキャナ装置２００で読み取る。
【００２７】
同時に、給紙ローラ４０を回転し、給紙カセット４２内から転写紙（記録媒体）Ｐを繰り出し、紙搬送路１６に入れてレジストローラ１８に突き当てて止める。
【００２８】
そして、像担持体１２の回転にタイミングを合わせてレジストローラ１８を回転し、プロセスカートリッジＰＣのカートリッジケース１０で案内して転写位置ａへと導き、像担持体１２上に形成した画像を転写装置１４でその転写紙Ｐへと転写して記録する。
【００２９】
画像転写後の転写紙Ｐは、定着装置２０に入れ、定着ローラ２１Ａと加圧ローラ２１Ｂとで熱と圧力とを加えて転写画像を定着する。そして、排出トレイ２５ａに転写紙Ｐを排出するときは、ピンを支点として切替爪１９ａを時計回りに回動し、転写紙Ｐを紙搬送路１６ａへと導き、排紙ローラ２２で排出して排出トレイ２５ａに排出する。
【００３０】
一方、排出トレイ２５ｂに転写紙Ｐを排出するときは、上述の切替爪１９ａを反時計回りに回動し、転写紙Ｐを紙搬送路１６ｂへと導き、排紙ローラ２２で排出して排出トレイ２５ｂに排出する。
【００３１】
さらに、記録媒体後処理装置３００に転写紙Ｐを搬送するときは、切替爪１９ｂを時計回りに回動し、転写紙Ｐを中継搬送路１６ｃへと搬送し、排紙ローラ２２から排出して、記録媒体後処理装置３００に搬送し、転写紙Ｐをソートしたり、転写紙Ｐにステイプル処理やパンチ処理を施したりする。
【００３２】
ところで、図３に示すように、この例のスキャナ装置２００は、複写機装置本体１００上に、その複写機装置本体１００を開閉可能にスライド自在とするように、一対のスライド機構４０によって取り付けられている。このスライド機構４０は、スキャナ装置２００を複写機装置本体１００に対して矢印Ａ−Ｂ方向に水平にスライドするためのものであり、例えば、複写機装置本体１００の上面１００ｕのスライド方向に直交する方向の両側と、スキャナ装置２００の底面２００ｂのスライド方向に直交する方向の両側に、それぞれ一対の鋼製のレール４０ａ，４０ｂを取り付け、それらのレール４０ａ，４０ｂを矢印Ａ−Ｂ方向にスライドするようにベアリングを介してはめ合せたものである。
【００３３】
なお、それぞれ一対のレール４０ａ，４０ｂを別のレールを介してはめ合せるようにしてもよい。また、それぞれのレール４０ａ，４０ｂには、外れ防止のためのストッパが設けられており、レール４０ａ，４０ｂが一定以上スライドするとストッパに当接して、それ以上スライドしないようになっている。
【００３４】
さらに、一対のレール４０ｂの内側に、レール４０ｂに沿って、一対のラック４４を設ける一方、複写機装置本体１００には、図４に示すように、モータ（駆動手段）の駆動をそのラック４４に伝える一対のギア４５をラック４４に噛み合わせるように設ける。そして、表示部２１０に隣接して、スキャナ装置２００をスライドさせるスライドキーを備える。
【００３５】
そして、複写機装置本体１００の外側において、複写機装置本体１００とスキャナ装置２００とは、ハーネスなどにより電気的に接続されている。なお、このハーネスの長さは、スキャナ装置２００が複写機装置本体１００に対してスライドする距離よりも長く設けられている。
【００３６】
また、複写機装置本体１００には、スキャナ装置２００に隣接して、複写機装置本体１００に対して、スキャナ装置２００が開位置にあることを検知するスライド検知センサ（スライド検知手段）４１を備える一方、スキャナ装置２００には、スライド検知センサ４１に検知される被検知体としてのフィラー４２を備える。なお、スキャナ装置２００の開位置とは、スキャナ装置本体２００を矢印Ａ方向にスライドして、フィラー４２がスライド検知センサ４１の検知範囲から外れた状態のことをいうものとする。一方、スキャナ装置２００の閉位置とは、スキャナ装置２００を矢印Ｂ方向にスライドして戻し、フィラー４２がスライド検知センサ４１の検知範囲内にある状態のことをいうものとする。
【００３７】
さらに、複写機装置本体１００の側面１００ｓには、複写機装置本体１００まわりの人の存在を検知する人感センサ（人感検知手段）４３を備える。この人感センサ４３は、人が感知エリア内に入ると、人の発する熱を感知して信号を送信する機能を持つ公知のものである。
【００３８】
また、胴内排出部２４の排出トレイ２５ａには、排出トレイ２５ａにおける転写紙Ｐの有無を検知する、排紙検知センサ（排出検知手段）４６を備える。
【００３９】
上述の表示部２１０、スライド検知センサ４１、人感センサ４３、排紙検知センサ４６は、複写機装置本体１００に備える不図示の制御部と接続されている。
【００４０】
このように構成されたレーザ複写機で画像を転写した転写紙Ｐがスタックされている胴内排出部２４の排出トレイ２５ａから転写紙Ｐを取り出す作用について図３，４を用いて説明する。
【００４１】
まず、排出検知センサ４６が排出トレイ２５ａに転写紙Ｐがあることを検知すると、制御部を介して表示部２１０にその旨が検知結果として表示して警告され、この表示を確認したら、ユーザーは、スライドキーを押下する。すると、モータを回転してラック４４に噛合したギア４５を矢印ａ向きに回転させ、ラック４４に沿ってあらかじめ定められた距離だけ、閉位置にあるスキャナ装置２００を複写機装置本体１００に対して矢印Ａの方向に水平にスライドして開位置とし、複写機装置本体１００の上面１００ｕが開放されて胴内排出部２４の上部開口２４ｕが現れる。すると、スライド検知センサ４１は、スキャナ装置２００が矢印Ａ方向にスライドして、スキャナ装置２００に設けられたフィラー４２がスライド検知センサ４１の検知範囲から外れたときから、スキャナ装置２００がスライドして、開位置となったことを検知して、制御部に信号を送信している。
【００４２】
次に、排出トレイ２５ａにスタックされた全ての転写紙Ｐを複写機装置本体１００の上方から上部開口２４ｕに手を入れて取り出し、レーザ複写機から立ち去ると、排出検知センサ４６が、排出トレイ２５ａに転写紙Ｐがないことを検知して制御部に信号を送信するとともに、人感センサ４３がレーザ複写機装置本体１００まわりの人の存在を検知しないとき、制御部に信号を送信する。
【００４３】
すると、制御部は、モータを逆回転して、ラック４４に噛合したギア４５を矢印ｂ向きに回転させ、ラック４４に沿って矢印Ｂの方向に移動して、スキャナ装置２００をスライドして元の位置である閉位置に戻すと、スキャナ装置２００に設けられたフィラー４２がスライド検知センサ４１内に挿入され、スライド検知センサ４１は、スキャナ装置２００が閉位置にあることを検知する。即ち、スキャナ装置２００を画像形成装置本体１００上で画像形成装置本体１００を開閉可能にスライド自在とする。
【００４４】
なお、排出トレイ２５ｂに複写済みの転写紙Ｐがスタックされたときは、従来の胴内排出タイプの複写機と同様に、胴内排出部２４の側部開口２４ｓから取出す。
【００４５】
上述の例において、ギア４５に駆動を伝えるモータとして、ステッピングモータを使用すると、より正確な距離だけスキャナ装置２００を移動させることができる。
【００４６】
また、上述の例では、人感センサ４３を複写機装置本体１００の側面１００ｓに備え、排出検知センサ４６で転写紙Ｐがないことを検知し、かつスライド検知センサ４１でスキャナ装置２００が開位置に有ることを検知するとともに、さらに人感センサ４３で人の存在を検知しないとき、モータを駆動し、スキャナ装置２００をスライドして閉位置に戻すようにしたが、この発明はこれに限定されるものではなく、排出検知センサ４６で転写紙Ｐがないことを検知し、かつスライド検知センサ４１でスキャナ装置２００が開位置に有ることを検知したとき、そのスキャナ装置２００をモータでスライドして閉位置に戻すようにしてもよい。
【００４７】
上述の例では、一対のレール４０ｂの内側に、それぞれレール４０ｂに沿って、図３，４に示すようなラック４４を設ける一方、複写機装置本体１００の上面１００ｕ側には、駆動モータの駆動を伝える一対のギア４５を設け、ラック４４にギア４５をそれぞれ噛み合わせて、不図示のモータの回転をギア４５に伝達して、ラック４４を介してスキャナ装置２００をスライドさせるようにしたが、この発明はこれに限定されるものではなく、スキャナ装置２００と複写機装置本体１００を一対のスライド機構４０によって取り付けて、手でスキャナ装置２００をスライドさせるようにしてもよい。
【００４８】
この場合、スキャナ装置２００をスライドさせた後、元に戻し忘れる恐れがあるので、スライド検知センサ４１が、スキャナ装置２００が開位置にあることを検知し、かつ、排紙検知センサ４６が、排出トレイ２５ａに転写紙Ｐがないことを検知したとき、スキャナ装置２００がスライドして一定時間が経過した後に、音を発して報知する報知手段を表示部２１０に隣接して備えると好適である。
【００４９】
なお、上記のスキャナ装置２００がスライドして一定時間が経過した後に報知手段が音を発して報知するのに代えて、排紙検知センサ４６が排出トレイ２５ａに転写紙Ｐがないことを検知してから一定時間が経過した後に報知手段が音を発して報知するようにしてもよい。
【００５０】
また、報知手段は、音を発して報知するに限らず、光を発して報知してもよいし、メッセージを表示して報知するなど、あらゆる方法で報知するようにしてもよい。
【００５１】
さらに、スキャナ装置２００と複写機装置本体１００を一対のスライド機構４０によって取り付けて、手でスキャナ装置２００をスライドさせる場合には、図５に示すように、スキャナ装置２００の正面側に取っ手２２０を設けると、容易にスキャナ装置２００をスライドさせることができる。
【００５２】
また、上述の例では、スキャナ装置２００の上面に表示部２１０を備えたが、この発明はこれに限定されるものではなく、スキャナ装置２００の上部または複写機装置本体１００の上部に備えてもよい。
【００５３】
さらに、上述の例では、記録媒体として転写紙を用いたが、この発明はこれに限定されるものではなく、ＯＨＰフィルム、中間転写体などであってもよい。
【００５４】
また、上述の例では、この発明の画像形成装置として、胴内排紙タイプのレーザ複写機について説明したが、この発明はこれに限定されるものではなく、胴内排紙タイプのファクシミリ、プリンタなどにも適用し得るし、加えて、胴内排紙タイプの画像形成装置のみならず、あらゆるタイプの画像形成装置に適用し得る。
【００５５】
【発明の効果】
以上、詳述したように、この発明によれば、画像読取部を画像形成装置本体上で、その画像形成装置本体上を開閉可能にスライド自在とするので、必要に応じて画像読取部をスライドして画像形成装置本体上を開放し、例えばジャム処理を行ったり、メンテナンスを行ったりする際に、画像形成装置本体内を容易に上方に開放することができる。
【００５６】
請求項２に記載の発明によれば、画像形成装置本体内に、画像情報記録済みの記録媒体を排出する胴内排出部を備えるので、画像読取部をスライドして画像形成装置本体上を開放し、胴内排出部にスタックされた画像情報記録済みの記録媒体を画像形成装置本体の上方からも取り出すことができる。
【００５７】
請求項３に記載の発明によれば、胴内排出部における記録媒体の有無を検知する排出検知手段と、その検知結果を警告する警告手段を備えるので、胴内排紙部への記録媒体の排出状況をユーザーに報知することができる。
【００５８】
請求項４に記載の発明によれば、排出検知手段で記録媒体がないことを検知し、かつスライド検知手段で画像読取部が開位置に有ることを検知したとき、その状態にあることを報知する報知手段とを備えるので、画像読取部の閉め忘れをユーザーに報知することにより物をぶつけて画像読取部を破損するおそれをなくすことができる。
【００５９】
請求項５に記載の発明によれば、排出検知手段で記録媒体がないことを検知し、かつ前記スライド検知手段で画像読取部が開位置に有ることを検知し、かつスライド検知手段で画像読取部が開位置に有ることを検知したとき、その画像読取部をスライドして閉位置に戻す駆動手段を備えるので、画像読取部を閉め忘れたとき、自動的に画像読取部を閉位置に戻すことにより物をぶつけて画像読取部を破損するおそれをなくすことができる。
【００６０】
請求項６に記載の発明によれば、画像形成装置本体まわりの人の存在を検知する人感検知手段を備え、排出検知手段で記録媒体がないことを検知し、かつスライド検知手段で画像読取部が開位置に有ることを検知するとともに、さらに人感検知手段で人の存在を検知しないとき、駆動手段を駆動し、画像読取部をスライドして閉位置に戻すので、ユーザーが記録媒体を取出そうとしているにもかかわらず、排出検知手段が誤作動して胴内排出部に記録媒体がないと検知したときに、そのユーザーの存在を検知して画像読取部を元に戻すことを防止することができる。
【００６１】
請求項７に記載の発明によれば、画像読取部に取っ手を設けるので、手で容易に画像読取部をスライドすることができる。
【図面の簡単な説明】
【図１】この発明による画像形成装置の一例としての胴内排紙タイプのレーザ複写機の全体図である。
【図２】その複写機装置本体の概略構成図である。
【図３】そのスキャナ装置をスライドした際の説明図である。
【図４】さらにそのスキャナ装置をスライドした際の説明図である。
【図５】その他例のスキャナ装置の斜視図である。
【符号の説明】
２４    胴内排出部
２４ｕ    上部開口
２４ｓ    側部開口
２５ａ，２５ｂ    排出トレイ
４１    スライド検知センサ（スライド検知手段）
４３    人感センサ（人感検知手段）
４６    排紙検知センサ（排出検知手段）
１００    複写機装置本体（画像形成装置本体）
１００ｕ    上面
１００ｓ    側面
２００    スキャナ装置（画像読取部）
２１０    表示部（警告手段）
２２０    取っ手
ＰＣ    プロセスカートリッジ
Ｐ    転写紙（記録媒体）
【図１】
2004198476.tif 000003
【図２】
2004198476.tif 000004
【図３】
2004198476.tif 000005
【図４】
2004198476.tif 000006
【図５】
2004198476.tif 000007